(57)【要約】【課題】塗膜を確実に被転写体の希望する位置に転写できるベルト式塗膜転写具を提供することである。【解決手段】基材テープに塗膜を塗布した転写テープを繰り出す繰出リールと、前記塗膜を被転写体に押圧して転写する転写ヘッドと、転写後の基材テープを巻き取る巻取リールを有し、前記繰出リールと巻取リールを連動回転させるベルト式連動機構を備えた塗膜転写具において、前記ベルト式連動機構のベルトの走行を案内するガイド部材を前記繰出リールと巻取リールとの間に設けたことを特徴とする塗膜転写具。【選択図】　図１
2004009323.tif 000002
【特許請求の範囲】
【請求項１】
基材テープに塗膜を塗布した転写テープを繰り出す繰出リールと、前記塗膜を被転写体に押圧して転写する転写ヘッドと、転写後の基材テープを巻き取る巻取リールを有し、前記繰出リールと巻取リールを連動回転させるベルト式連動機構を備えた塗膜転写具において、前記ベルト式連動機構のベルトの走行を案内するガイド部材を前記繰出リールと巻取リールとの間に設けたことを特徴とする塗膜転写具。
【請求項２】
前記ガイド部材が、ローラーである請求項１記載の塗膜転写具。
【発明の詳細な説明】
【０００１】
【発明の属する技術分野】
本発明は、文字修正用塗膜、接着用粘着膜、装飾用塗膜等を被転写体に押圧転写する塗膜転写具に属し、特に、繰出リールと巻取リールを連動回転させるベルト式連動機構を備えた塗膜転写具に関する。
【０００２】
【従来の技術】
図２は、従来の塗膜転写具の構造を説明するための図である。この従来の塗膜転写具１００は、２カ所に支軸１１３、１１４を備えたケース１１１、ケース１１１から外部に突出する転写ヘッド１０９、各支軸１１３、１１４に回転可能に係合された繰出リール１０３と巻取リール１０４、および基材テープ１０８表面に塗膜１０７が塗布された転写テープ１０６からなっており、ケース１１１の開口部はカバー（図示せず）で覆われている。
転写テープ１０６は、繰出リール１０３に巻回されており、繰出リール１０３から引き出された転写テープ１０６は、転写ヘッド１０９が被転写体に押圧されて塗膜１０７と基材テープ１０８とに別れ、塗膜１０７が被転写体に転写され、基材テープ１０８だけが巻取リール１０４に巻き取られるようになっている。
繰出リール１０３と巻取リール１０４が互いに連動して回転するように、両リール１０３、１０４には無端状のゴムベルト１０５が掛け回されている。
【０００３】
この塗膜転写具１００では、基材テープ１０８の巻き取る長さが転写テープ１０６の繰り出し長さよりも長くなるように両リール１０３、１０４を回転させ、転写テープ１０６に適度な張力を掛けることによって、転写テープ１０６が弛まないようになっている。
また、転写テープ１０６に過大な張力が掛かった時には、ゴムベルト１０５と巻取リール１０４との間にスリップが生じることによって、転写テープ１０６に掛けられる張力を逃し、転写テープ１０６が切れないようにしている。
【０００４】
【発明が解決しようとする課題】
しかし、このような従来のベルト式連動機構の塗膜転写具１００では、転写テープ１０６を転写ヘッド１０９を介して被転写体に転写している時は、繰出リール１０３から転写テープ１０６が引き出されて繰出リール１０３が回転し、その回転が繰出リール１０３と巻取リール１０４間に掛け回されたゴムベルト１０５を繰出リール１０３から巻取リール１０４に向けて押し出すので、ゴムベルト１０５は、図２の２点鎖線で示すように外方向に膨らんで弛もうとし、逆側の巻取リール１０４から繰出リール１０３に向かって走行するゴムベルト１０５は、繰出リール１０３の回転に引っ張られて引き延ばされながら巻取リール１０４を回転させる。そこで、塗膜転写具１００を被転写体から離すと、ゴムベルト１０５は自身の弾性力で元の長さに戻ろうとするので、繰出リール１０３を転写テープ１０６が引き出される方向とは逆方向に回転させて、転写テープ１０６を繰出リール１０３側に引き戻すことになる。そのため、転写ヘッド先端部の押圧転写部１１０で転写し終わった基材テープ１０８は繰出リール１０３側に引き戻され、押圧転写部１１０には塗膜１０７がない状態になる。こうなると、次に塗膜転写具１００で希望する位置に塗膜１０７を転写しようとしても、押圧転写部１１０には塗膜１０７がないので転写できないという問題が生じる。例えば、文字修正用塗膜を備えた塗膜転写具であれば、消したい文字を消せないという問題が生じる。
【０００５】
本発明の目的は、塗膜を確実に被転写体の希望する位置に転写できるベルト式塗膜転写具を提供することである。
【０００６】
【課題を解決するための手段】
上記目的を達成するために、本発明は、基材テープに塗膜を塗布した転写テープを繰り出す繰出リールと、前記塗膜を被転写体に押圧して転写する転写ヘッドと、転写後の基材テープを巻き取る巻取リールを有し、前記繰出リールと巻取リールを連動回転させるベルト式連動機構を備えた塗膜転写具において、前記ベルト式連動機構のベルトの走行を案内するガイド部材を前記繰出リールと巻取リールとの間に設けたことを特徴とする塗膜転写具によって、課題を解決した。
【０００７】
【作用】
本発明の塗膜転写具は、ベルト式連動機構のベルトの走行を案内するガイド部材を繰出リールと巻取リールとの間に設けることで、両リール間に掛け回されたゴムベルトが外方向に膨らむように弛むことを防ぐことができる。また、ゴムベルトの弛みを押さえることで、巻取リールと繰出リールとの間のゴムベルトは、繰出リールの回転で引き延ばされる力がガイド部材の無い場合よりも弱くなり、繰出リールの逆回転が更に少なくなる。そのため、塗膜転写具を被転写体から離しても、転写済み基材テープが繰出リール側に戻ることが少なくなる。
【０００８】
【発明の実施の形態】
以下に、本発明の実施形態を図面に基づいて説明する。図１は本発明の塗膜転写具である。図１に示すように、本実施形態の塗膜転写具１は、全長の長いほぼ円筒状に形成され、２分割したケース１１とカバー（図示せず）、２つの支軸１３、１４を備えたケース１１、ケース端部に設けられて先端に押圧転写部１０を備えた転写ヘッド９、各支軸１３、１４に回転可能に係合された繰出リール３と巻取リール４、この繰出リール３と巻取リール４を連動回転させる無端状のゴムベルト５、および基材テープ８の片面に塗膜７を塗布した転写テープ６からなり、ケース１１はカバーで覆われている。繰出リール３に巻回された転写テープ６は引き出され、転写ヘッド９の押圧転写部１０で転写テープ６の塗膜７を被転写体に押圧して転写し、転写後の基材テープ８を巻取リール４で巻き取るようになっている。この繰出リール３と巻取リール４を連動回転させる無端状のゴムベルト５は両リール３、４間に掛け回されている。このゴムベルト５が、両リール３、４間で外側に弛むことを防ぐためにゴムベルト５の外側の位置にベルトの走行を案内するガイド部材２を設けている。
【０００９】
ガイド部材２は、部材表面とゴムベルト５の外周面とが接触するので、できる限り接触面での走行抵抗を低減するために角柱より円柱、更にローラーにすることが好ましい。また、ローラーの外観形状は、つづみ形であってもよい。
ガイド部材２を設ける位置は、ゴムベルト５の弛みを防ぐ効果と走行抵抗の低減とを考慮した位置であればよい。
【００１０】
塗膜転写具１は、そのケース内に収納される転写テープ６が視認できるような透明、あるいは、半透明な樹脂で形成されるのが望ましいが、不透明な樹脂や一部紙等の材質で形成してもよく、その材質は限定されるものではない。
ガイド部材２は、ケース１１と一体に形成されても、別体に形成されてもよい。また、ケース１１のみから突出しても、カバーから突出しても良く、更にケース側から突出したガイド部材２の先端をカバーで支持しても良い。もちろん逆にカバー側からでも良い。材質もケースまたはカバーと同質であっても異質であってもよく、金属や潤滑性のある樹脂でもよい。
【００１１】
表１は、ゴムベルト５の走行を案内するガイド部材２を設けた本発明の塗膜転写具１と設けない従来の塗膜転写具との転写テープの戻り量を示す。
表１
2004009323.tif 000003
基材テープの戻り量は、ガイド部材がない従来のフジコピアン（株）製　文字修正用塗膜転写具２０個を準備し、その内、１０個にガイド部材を設け、残り１０個は従来通りとして、計２０個を被転写体に塗膜を転写した後、基材テープを掛け回している転写ヘッド先端の押圧転写部から繰出リール側にある塗膜端までの基材テープの長さを定規で測定し、各１０個の値を平均したものである。
【００１２】
【発明の効果】
以上のような本発明の塗膜転写具によると、いったん塗膜転写具を使用した後、再び使用する時、転写ヘッド先端近くに転写テープの塗膜が来ているので、塗膜を希望の位置に転写できる。
【図面の簡単な説明】
【図１】本発明の塗膜転写具を示す。
【図２】従来の塗膜転写具を示す。
【符号の説明】
１　塗膜転写具
２　ガイド部材
３　繰出リール
４　巻取リール
５　ゴムベルト
６　転写テープ
７　塗膜
８　基材テープ
９　転写ヘッド
１０　押圧転写部
１１　ケース
１３　支軸
１４　支軸
【図１】
2004009323.tif 000004
【図２】
2004009323.tif 000005